(57)【要約】【課題】乗員室内の広い領域を照明でき、かつ、乗員室内の好ましい意匠性を確保できる間接照明装置付き内装材を提供する。【解決手段】天井内装材１０は、互いに平行な第１の意匠面１６と第２の意匠面１７の間に、第１の意匠面１６から乗員室の外側に向かう方向の側辺1５ａ、および第１および第２の意匠面に平行な底辺１５ｂを有する断面形状の取付溝１５を有している、この取付溝１５内に、第２の意匠面を照明する間接照明装置５０が配置されている。【選択図】図２
2008132807.tif 000002
【特許請求の範囲】
【請求項１】
乗員室内に面し、互いに近接する部分が互いに平行な第１の意匠面および第２の意匠面と、
前記第１の意匠面と前記第２の意匠面の間に位置し、前記第１の意匠面から前記乗員室の外側に向かう方向の側辺、および前記第１および第２の意匠面の、近接する部分に平行な底辺を有する三角形の断面形状の取付溝と、
前記取付溝内に配置された間接照明装置と、
を有する、自動車の間接照明装置付き内装材。
【請求項２】
前記第１の意匠面に続く意匠面を形成し、前記第２の意匠面との間に間隙を残して前記間接照明装置の、前記乗員室内側を覆うカバーモールをさらに有する、請求項１に記載の、自動車の間接照明装置付き内装材。
【請求項３】
前記間接照明装置は、
前記取付溝内にそれに沿って配置された長尺な導光体と、
前記導光体の、長手方向の端面に対面して配置された光源と、
前記導光体の前記端面および前記第２の意匠面側の面を露出させながら前記導光体の周囲を囲んで前記導光体を保持するハウジングと、
を有する、
請求項１または２に記載の、自動車の間接照明装置付き内装材。
【請求項４】
前記導光体は、透明な母材と、該母材内に分散された、光を散乱させる粒子と、を有する、請求項３に記載の、自動車の間接照明装置付き内装材。
【請求項５】
複数の前記導光体が、前記取付溝に沿って、間隔をおいて並んで配置されており、前記各導光体の、長手方向の両側の端面にそれぞれ対面して前記光源が配置されている、請求項３または４に記載の、自動車の間接照明装置付き内装材。
【請求項６】
透明な母材樹脂と、該母材内に分散された、光を散乱させる粒子とを有する光拡散板であって、隣り合う前記導光体の間に配置された前記光源の、前記第２の意匠面側を覆って、当該隣り合う導光体間を橋渡しするように配置された光拡散板をさらに有する、請求項５に記載の、自動車の間接照明装置付き内装材。
【請求項７】
前記光拡散板の可視光透過率が３％以上７０％未満である、請求項６に記載の、自動車の間接照明装置付き内装材。
【請求項８】
前記導光体は、透明な母材と、該母材内に分散された、光を散乱させる粒子と、を有し、前記光拡散板には、前記導光体より高い濃度で前記光を散乱させる粒子が分散されている、請求項６または７に記載の、自動車の間接照明装置付き内装材。
【請求項９】
前記導光体は撓み性を有する、請求項３から８のいずれか１項に記載の、自動車の間接照明装置付き内装材。
【請求項１０】
前記光源は発光ダイオードである、請求項１から９のいずれか１項に記載の、自動車の間接照明装置付き内装材。
+
【発明の詳細な説明】
【技術分野】
【０００１】
本発明は自動車の間接照明装置付き内装材に関する。
【背景技術】
【０００２】
従来、自動車の室内においては、直接照明と間接照明が使い分けられている。例えば特許文献１には、直接照明と間接照明の両方を可能とするイルミネーションモジュールが開示されている。
【０００３】
直接照明は、所要のターゲットをねらった照明である。直接照明には、例えば、乗員の手元の比較的狭い範囲を、比較的高い照度で照射して、マップ等を見ることができるようにするマップランプがある。このようなマップランプは、乗員が夜間にマップ等を見る際などにスイッチを押して点灯し、必要のない時には消灯できるように構成される。また、他の直接照明としては、ドアの開閉に連動して点灯・消灯して、乗員の乗降時に足元を照射するドームランプなどがある。
【０００４】
これに対して間接照明は、光を直接的に乗員の手元や足元などの狭い領域に照射して照明するものではなく、自動車の室内の比較的広い範囲を淡く照射するものである。この間接照明は、主に、意匠性を演出する目的で設けられるものであり、乗員から光源が直接的に見えない構造を有している。
【０００５】
直接照明は、自動車の走行時は、基本的に消灯される。一方、間接照明は自動車の走行時にも連続的に点灯したり、あるいは、走行を感知して自動的に照度を落としたりするようになっている。
【特許文献１】特開２００５−１８６８８４号公報
【発明の開示】
【発明が解決しようとする課題】
【０００６】
上記のとおり、自動車の室内の間接照明は、直接照明とは異なる目的で設けられるものである。そのために、直接照明が、比較的狭い範囲を、比較的高い照度で集中的に照射することを求められるのに対して、間接照明は比較的広い範囲を淡く、均一に照射することを求められる。
【０００７】
従来も、自動車の室内に間接照明を設ける例はあったが、最近では、間接照明を、自動車の前後方向に沿って、前端近くから後端近くまで、長い距離にわたって設けたいという需要がある。この場合、自動車の前後方向は距離が長いため、これを淡く、均一にムラなく照射することができ、かつ、乗員室内の好ましい意匠性を損なわないように間接照明装置を設けるには、特別の構成技術が必要である。
【０００８】
本発明は、この課題に鑑み、乗員室内の広い領域を照明でき、かつ、乗員室内の好ましい意匠性を確保できる間接照明装置付き内装材を提供しようとするものである。
【課題を解決するための手段】
【０００９】
上述の目的を達成するため、本発明の自動車の間接照明装置付き内装材は、乗員室内に面し、互いに近接する部分が互いに平行な第１の意匠面および第２の意匠面と、第１の意匠面と第２の意匠面の間に位置し、第１の意匠面から乗員室の外側に向かう方向の側辺、および第１および第２の意匠面の、近接する部分に平行な底辺を有する三角形の断面形状の取付溝と、取付溝内に配置された間接照明装置と、を有することを特徴とする。
【００１０】
この間接照明装置付き内装材によれば、第１の意匠面と第２の意匠面が互いに平行であるため、間接照明装置を挟んだ両側での意匠的な連続性を確保し、優れた意匠性を確保することができる。また、したがって、間接照明装置を取付溝に沿って長尺な構成としても、優れた意匠性を確保できる。この際、取付溝が、第１の意匠面から乗員室の外側に向かう方向の側辺、および第１および第２の意匠面に平行な底辺を有する三角形の断面形状であるため、この取付溝に取り付けた間接照明装置は、第２の意匠面を、取付溝に沿った領域にわたって照明するものとすることができる。すなわち、取付溝内に配置した間接照明装置は、取付溝の第２の意匠面側には、側壁がないか、ごく微小なものであるので、取付溝内に配置した間接照明装置は、側壁に遮られることなく第２の意匠面を照明できる。そして、この取付溝を長尺にすれば、乗員室内の広い領域を照明するものとすることができる。また、取付溝は、内装材の成形時に内装材に作り込むことによって容易に形成することができ、本発明の間接照明装置付き内装材は低コストで提供することができる。
【００１１】
本発明の間接照明装置付き内装材には、第１の意匠面に続く意匠面を形成し、第２の意匠面との間の間隙を残して間接照明装置の、乗員室内側を覆うカバーモールを設けてもよい。このようなカバーモールを設けることによって、間接照明装置の構成部品が、乗員室内から見えないようにして、意匠性を高めることができる。
【００１２】
間接照明装置は、取付溝内にそれに沿って配置された長尺な導光体と、導光体の、長手方向の端面に対面して配置された光源と、導光体の端面および第２の意匠面側の面を露出させながら導光体の周囲を囲んで導光体を保持するハウジングと、を有する構成とすることができる。このような間接照明装置を用いることによって、光源から、導光体の端面を介して導光体内に入射した光によって、導光体の、ハウジングから露出された、第２の意匠面側の面を、導光体の長手方向にわたって発光させて長手方向にわたる広範囲の照明を行うことができる。
【００１３】
この際、導光体は、透明な母材と、母材内に分散された、光を散乱させる粒子とを有する構成とするのが好ましい。このような導光体を用いることによって、端面から入射した光を、導光体内で種々の経路で伝播させることにより、導光体の長手方向にわたる照度を均等化し、ムラを低減した照明を行うことができる。
【００１４】
導光体を、取付溝に沿って複数並べて配置すれば、各導光体の長さを短くすることでき、さらに、各導光体の両端面のそれぞれに対面して光源を配置すれば、各導光体の長手方向の位置による、光源からの距離の差を小さく抑えることができる。それによって、導光体の照度の、長手方向に沿ったムラを軽減することができる。
【００１５】
複数の導光体を用いる場合、透明な母材樹脂と、母材内に分散された、光を散乱させる粒子とを有する光拡散板を、隣り合う導光体の間に配置された光源の、第２の意匠面側を覆って、隣り合う導光体間を橋渡しするように設けるのが好ましい。それによって、光源からの光が、導光体を通らずに直接的に第２の意匠面に到達して照度ムラを生じるのを抑制し、間接照明装置による照明照度の均等性を向上させることができる。
【００１６】
光拡散板は、光源からの直接的な照度の高い光を十分に分散できるように、透明度の低いものとし、特に、可視光透過率を３％以上７０％未満とするのが好ましい。
【００１７】
また、導光体としても、光を散乱させる粒子を用いる場合、光拡散板には、導光体よりも高い密度で、光を散乱させる粒子を分散させるのが好ましい。それによって、導光体の部分と、光拡散板の部分とで、照度を整合させて、照明照度の均等性を向上させることができる。
【００１８】
導光体は撓み性を有するものとするのが好ましい。それによって、乗員室内面の湾曲に合わせるなどのために、取付溝を湾曲したものとしても、導光体を、それを撓ませることによって容易に取り付けることが可能となる。
【００１９】
本発明において用いる光源は、発光ダイオードとするのが好ましい。発光ダイオードは軽量でコンパクトなものとできるので、これを光源とすることによって、装置の軽量小型化を図ることができ、また、複数の導光体を用いる場合、導光体間の間隔を小さく抑えて、照度ムラを抑制することができる。
【発明の効果】
【００２０】
本発明によれば、乗員室内の広い領域を照明でき、かつ、乗員室内の好ましい意匠性を確保できる間接照明装置付き内装材を提供することができる。
【発明を実施するための最良の形態】
【００２１】
以下、図面をもとに本発明の好適の実施形態を説明する。
【００２２】
本発明の間接照明装置付き内装材の好ましい例として、以下では、天井内装材（ルーフライナー、ヘッドライナー）に間接照明装置を組み込む（モジュールする）場合について説明する。本発明を適用できる内装材としては、その他に、ドアトリム内装材や、ラッゲージトリム内装材、ガーニッシュ内装材などがある。特に、本発明における間接照明装置は、長尺な領域に設けられ、乗員室内の比較的広い範囲を照明するのに適するものであるので、本発明は、乗員室内の長尺な領域にわたって配置される内装材に適用するのに適している。
【００２３】
図１，２に、本発明の一実施形態の間接照明装置５０付の天井内装材１０を示す。図１は、天井内装材１０を裏面側（車体のルーフパネル側）から見た斜視図であり、矢印Ｆが自動車の前方、矢印Ｒが自動車の後方を示している。図１では、天井内装材１０の概形と共に、本発明において重要な構成要素である間接照明装置５０の配置を透視して示している（間接照明装置５０は室内側に配置されており、本来は裏面側からは見えない）。なお、図１には、間接照明装置５０として、右側縁に沿って設けられたものを示しているが、同様の装置が左側縁側にも設けられていてよい。また、天井内装材１０には、各種のアクセサリーが組み込まれるのが一般的であり、天井内装材１０は、そのための種々の構造部を有することができるが、図１では、そのような詳細の図示を省略している。図２は、図１のＡ−Ａ線に沿って、天井内装材１０の一側縁、およびその周囲の車体や装備品を示す断面図である。
【００２４】
天井内装材１０は、一般的に、自動車の乗員室内の天井部に設けられるものである。天井内装材１０の機能としては、まず、天井部の鋼板パネル（ルーフパネル２０）を覆って乗員室内を装飾することがある。また、乗員が天井に頭部をぶつけた時の、乗員への衝撃を緩衝する安全性向上作用がある。さらに、走行中の風切り音や雨音などの、天井方向からの騒音が乗員室内に到達するのを抑制する防音材としての作用がある。
【００２５】
詳細には図示していないが、天井内装材１０は、形状保持性のある基材と、基材の乗員室内側に貼着される表皮材とを基本的な構成要素としている。基材としては、発泡樹脂基材、繊維質基材、ダンボール基材などの各種のものを用いることができる。基材は、プレス成形等により、自動車のルーフパネル２０に沿って配置するのに適した形状に成形される。表皮材としては、ニット表皮材、不織布表皮材などの各種のものを用いることができる。表皮材は、乗員室内の意匠性に寄与するものであり、すなわち室内を装飾する働きをする。表皮材は、基材の成形と同時に、または基材の成形後に基材に貼着される。
【００２６】
図２に示すように、天井内装材１０とルーフパネル２０の間には、ある程度の間隙が設けられている。この間隙には、天井周りのアクセサリーへのバッテリーからの給電用配線であるワイヤーハーネス３０や、エアコン送風用のエアダクト２２、ＨＩＰ用の衝撃吸収材（不図示）などが配置される。また、図２に示す例では、カーテンエアバッグ３１とそのインフレーター３２も、この間隙内に備えられている。カーテンエアバッグ３１は、衝突などの緊急事態が検知された時に、インフレーター３２からの供給ガスによって膨張し、サイドウインド沿いに垂下するものであり、通常は、折り畳まれた状態で配置されている。
【００２７】
天井内装材１０の乗員室内側には、本発明において重要な構成要素である間接照明装置５０の他、サンバイザーやマップランプ（不図示）などの各種のアクセサリーが組み込まれる。図２には、このようなアクセサリーの１つとして、アシストグリップ４０を示している。アシストグリップ４０は、乗員の乗降時や走行中に乗員が身体を支えるために握れるように、天井部に取り付けられるアクセサリーである。図に示す例では、アシストグリップ４０は、実線で示すように天井内装材１０に沿った不使用時位置と、破線で示すように天井内装材１０から垂下した使用時位置との間で揺動可能に取り付けられている。図示していないが、アシストグリップ４０には、それを、通常は不使用時位置に保持するように付勢するスプリングが付属している。
【００２８】
天井内装材１０は、これらのアクセサリーとともにルーフパネル２０に取り付けられる。天井内装材１０の固定は、天井内装材１０の所要箇所に形成された貫通孔を介してアクセサリーをルーフパネル２０に留めることによって行われている。すなわち、天井内装材１０は、留められたアクセサリーとルーフパネル２０の間に挟持されることによって固定される。このような手法は、それによれば、アクセサリーの取り付けを行うと同時に天井内装材１０の固定も行われ、合理的であるので、多くの場合に採用されている。
【００２９】
図２に示す部分では、アシストグリップ４０の取付用のリテーナパネル２１が室内側に突出するようにルーフパネル２０に溶接によって取り付けられている。アシストグリップ４０は、天井内装材1０の貫通孔１１を通るクリップ４１によってリテーナパネル２１に取り付けられている。その結果、天井内装材1０は、この箇所で、アシストグリップ４０とリテーナパネル２１に挟持されて固定されており、クリップ４１は、アシストグリップ４０の取り付けだけでなく、天井内装材1０の取り付けにも兼用されている。
【００３０】
また、図示していないが、種々のアクセサリーの幾つかは、予め、天井内装材１０に取り付けられ（サブモジュールされ）る。その結果、天井内装材１０をルーフパネル２０に取り付けた際に、これにサブモジュールされているアクセサリーも同時に乗員室内の所定の位置に配置される。このような手法も、天井内装材１０の取り付け後にアクセサリーを取り付けるよりも、作業性が良いなどの理由で、多くの場合に採用されている。
【００３１】
天井内装材１０の端縁（周縁）は、表皮材の貼着されていないコバ面が見えないように、他のガーニッシュ内装材に覆われ、支持された構成とされるのが一般的である。図２に示す部分では、カーテンレールガーニッシュ内装材４５に形成された溝１６内に天井内装材１０の端縁が入り、支持されている。また、このような支持構造によって、カーテンエアバッグ３１が展開した時に、天井内装材１０がカーテンエアバッグ３１によって変形させられて端縁の支持が外れるようになっている。カーテンエアバッグ３１は、このようにして天井内装材１０とカーテンレールガーニッシュ内装材４５の間に形成された間隙を通って乗員室内に垂下することが可能となる。
【００３２】
本発明において重要な構成要素である間接照明装置５０は、図１に示すように、天井内装材１０に形成され、その側縁に実質的に平行に前端付近と後端付近との間にわたって延びる長尺な取付溝１５内に配置されている。図２に示すように、天井内装材１０は、この取付溝１５を挟んで、側縁側の内面である第１の意匠面１６と、中央側の内面である第２の意匠面１７とが、それらの互いに近接する部分同士で実質的に平行となる構造を有している。その結果、乗員には、間接照明装置５０を挟んだ第１の意匠面１６と第２の意匠面１７とが、自然に続いているように見え、意匠上の連続性が確保されている。
【００３３】
取付溝１５の、長手方向に垂直な面に沿った断面形状は、図２に示すように、第１の意匠面１６から自動車の外側に向かって（天井側に向かって）延びる側辺１５aと、第１の意匠面１６および第２の意匠面１７の、取付溝１５に近接する部分と実質的に平行に延びる底辺１５ｂとを有するほぼ三角形状になっている。この際、取付溝１５の断面形状は、第２の意匠面１７から底辺１５ｂに向かって自動車の外側に向かう側辺を有していてもよいが、この側辺は、側辺１５aに比べて小さくなっている。取付溝１５のこの断面形状は、長手方向にわたって実質的に均一になっている。ただし、取付溝１５は長手方向に沿って湾曲していてもよい。例えば、天井内装材１０は、乗員室内面の湾曲形状に合わせて、前方から後方の間で側方方向に膨らむように湾曲した形状とされるのが一般的であり、取付溝１５も、これに合わせて湾曲していてよい。
【００３４】
取付溝１５は、天井内装材１０の側縁より中央寄りに配置されている。カーテンエアバッグ３１が設けられる場合、天井内装材１０の側縁は、前述のようにカーテンエアバッグ３１の展開時に変形して外れる。したがって、カーテンエアバッグ３１の展開時の衝撃で間接照明装置５０が飛ばされないように、取付溝１５は、側縁からある程度離して配置するのが好ましい。
【００３５】
このような取付溝１５は、天井内装材１０の成形時に作り込むことができる。取付溝１５の大きさは、間接照明装置５０の大きさに合わせて設定すればよいが、長手方向に垂直な方向の幅を２０〜５０ｍｍ、高さ（深さ）を１０〜３０ｍｍ程度とするのが適している。
【００３６】
次に、図３，４も参照して、間接照明装置５０の構成について説明する。図３は、間接照明装置５０の、後述する導光体５１の端面５１a周辺を示す斜視図であり、図４は断面図である。なお、図３は、端面５１ａの周りの構成を示すために、後述するハウジング６０を端面５１a付近で切断した状態を示しており、また、図３（ｂ）は、後述する光散乱板７５を取り外した状態を示している。
【００３７】
間接照明装置５０は、四角柱形の長尺な導光体５１と、導光体５１の端面５１ａに対面して配置された光源とを主要な構成要素としており、光源から導光体５１を介した光によって乗員室内を照明するものである。光源としては、本実施形態では、表面実装型のＬＥＤ（Surface Mount Device Light Emitting Diode）５５を用いている。導光体５１は、長すぎると、光源が配置された端面５１ａ付近と、光源から離れた位置とでの明るさの差が大きくなるので、必要に応じて適切な長さのものを複数、取付溝１５の長さ方向に並べて用いてよい。本実施形態では、図１に示すように、３つの導光体５１が用いられている。ＬＥＤ５５は、各導光体５１の両端面５１ａのそれぞれに、したがって、合計で６ヶ所に配置されている。
【００３８】
さらに、間接照明装置５０は、導光体５１を、その一側面を露出させ、残りの側面を囲んで保持するハウジング６０を有している。図２に示すように、このハウジング６０を天井内装材１０に取り付けるためにクリップ６５が用いられている。また、隣り合う導光体５１間の部分には、任意構成として、光拡散板７５が取り付けられる。これら、間接照明装置５０の種々の部品は、乗員室内から見えないようにカバーモール７０によって覆われている。以下、これらの、間接照明装置５０の各部品について、さらに詳細に説明する。
【００３９】
（ハウジング）
ハウジング６０は、取付溝１５の全長と実質的に等しい長さの長尺な部材である。本実施形態において、ハウジング６０の、長手方向に垂直な面に沿った断面形状は、図２，３（ａ）に示すようにコ字状であり、この断面形状は、全長にわたって均一になっている。このようなコ字状断面の構造によって形成される溝内に、四角柱形の導光体５１が保持されている。この溝の内面は、光を反射するように構成するのが好ましい。
【００４０】
ハウジング６０は樹脂の射出成形や押出成形により形成するのが好ましい。使用する樹脂としては、寸法安定性、光反射性の観点からポリカーボネートを使用するのが好ましく、特に、光反射性のある酸化チタン入りポリカーボネートとして、汎用の三菱エンジニアリングプラスチック社製のグレードＥＨＲ３１００を使用することができる。あるいは、ハウジング６０を、アルミの押出成形によって形成することも可能である。ハウジング６０を樹脂で成形する場合、導光体５１を入れる溝の内面に光反射材を貼着してもよい。
【００４１】
（クリップ）
ハウジング６０を天井内装材１０に取り付ける方法としては、接着剤による接着や、溶着などの方法を用いてもよいが、クリップ６５を用いて取り付ける方法が最も適している。図示していないが、クリップ６５は、ハウジング６０の長手方向に適切な間隔をおいて複数取り付けられ、そのために、天井内装材１０には、対応する間隔で複数の取付用開口が形成されている。
【００４２】
クリップ６５としては、先端に弾性係合部をもった、公知の樹脂クリップを用いることができる。クリップ６５は、その弾性係合部を撓めて天井内装材１０の取着用開口に通し、天井内装材１０の裏面で撓みを開放することでこの裏面に係止される。天井内装材１０の裏面の、クリップ６５が係止される所には、補強のために、板金等の座金を挟んでもよい。クリップ６５の基部はハウジング６０に係合する。この係合構造は、公知のどのような係合構造であってもよい。このようにして、ハウジング６０はクリップ６５によって天井内装材１０に取り付けられている。
【００４３】
（導光体）
導光体５１は、透明な母材樹脂から作ることができる。特に、透明な母材樹脂中に、光を散乱させるミクロの粒子を分散させた構成とするのが好ましい。ミクロの粒子を所定の比率で分散させた導光体５１を用いることによって、導光体５１内に入射した光は、粒子の干渉によって光路を変える。入射した光は、ハウジング６０の内面でも反射され、このようにして、導光体５１内で複雑な経路を辿り、導光体５１の、露出された側面（光出射面５１ｂ）に到達したものから徐々に導光体５１の外に出射される。その結果、端面５１aから光が入射された導光体５１は、その全長にわたって淡い光を放ち、乗員室内の長さ方向の広い範囲の照明が行われる。
【００４４】
このような導光体５１における光散乱の程度は、導光体５１のサイズと、分散させる粒子の径と、配合比率により制御することができる。光源の種類や出力などに応じて、導光体５１における光散乱の程度を調整することによって、導光体５１の明るさ、導光距離、伝播性などを、意匠上、好ましいものに調整することができる。
【００４５】
他の構成として、導光体５１の長手方向での照度の均等化、特に、光源からの距離による照度変化低減のために、図４に示すように、導光体５１の背面５１ｃ（光出射面５１ｂの反対側の面）に、光散乱の度合いを調整するための微小な凹形状部（ドット５２）を付与してもよい。ドット５２は、光源から導光体５１に入射した光のうち、ドット５２に入射した光成分の光路を曲げて、光出射面５１ｂ方向に向く光成分を増加させる働きをする。
【００４６】
したがって、光源に近い側から遠い側になるにしたがって、ドット５２の密度を高め、またはドット５２の大きさを大きくすることによって、導光体５１の、光源から距離が遠い所でも光の出射率を高めることができる。その結果、導光体５１の明るさを、長手方向に沿って均等化することができる。
【００４７】
ドット５２の好ましい形状は、半径と深さが等しく頂角が９０°の円錐形状である。この場合、ドット５２は、１０ｍｍ以下のピッチで配置するのが好ましく、光源からの距離、すなわち導光体５１の端面からの距離に応じて、半径と深さを、０．５〜１．５ｍｍの範囲で変化させるのが好ましい。ドット５２は、四角錐形などの他の形状としてもよい。また、表面上の数ミクロン程度の微細なパターン、あるいは表面のざらつきによっても、このようなドット５２と同様の効果が得られる。ドット５２は、導光体５１の型成形時に作り込んでもよいし、後加工によって形成してもよい。微細パターン、あるいは表面のざらつきは、エッチングで表面を加工することによって形成することができる。
【００４８】
導光体５１に、光を散乱させる粒子を分散させる構成と、ドット５２などの凹形状部を形成する構成とは、併用してもよい。いずれにしても、これらの構成によって、高い光伝播性を有する導光体５１が得られ、すなわち、導光体５１を長尺なものとしても、その全長にわたって実質的に均一な照明を行うことができる。
【００４９】
しかしながら、前述のように、あまり長すぎると、導光体５１の、光源から遠い中央部において、明るさの低下を無視できなくなる。したがって、特に、本実施形態におけるように、乗員室の天井部の前後方向の全長にわたるような長い距離にわたる照明を行う場合、必要に応じて、長手方向に分割された複数の導光体５１を用いるのが好ましい。この分割数は、多すぎると、コストが増加し、また導光体５１間の継目部分は照度ムラとなりやすいので、導光体５１の長手方向に沿った照明の明るさの偏差が許容範囲内となる範囲で、最低限の数とするのが好ましいが、１以上１０以下とすることができ、２〜５とするのが特に好ましい。
【００５０】
乗員室の天井部の前後方向の全長は、一般的な乗用車で１〜２ｍ程度であり、この場合、導光体５１の分割数を２〜３程度とすれば、実質的に均一な照射が可能である。本実施形態では、取付溝１５の全長は１．９ｍであり、この中に、長さが６００ｍｍの導光体５１を３つ配置している。他の好ましい例では、全長１．８ｍの取付溝内に２つの導光体を配置して、実質的に均一な照明が得られた。
【００５１】
本実施形態の導光体５１は、光を散乱させる粒子として粒径４．５μｍのシリコン樹脂粒子が０．０５重量％配合され、断面が５×５ｍｍの正方形である。導光体５１の母材樹脂としては、このようなサイズに成形して、適度の撓み性を持つ材料が適し、アクリル樹脂、ポリカーボネート樹脂等を適用でき、本実施形態では、アクリル樹脂を採用している。導光体５１が撓み性を有することによって、取付溝１５が湾曲している場合でも、それに合わせて導光体５１を撓ませることによって、導光体５１を取付溝１５に沿って容易に配置することができる。
【００５２】
（カバーモール）
カバーモール７０は、ハウジング６０の下方を、乗員室内側から見えないように覆うものであり、それによって、間接照明装置５０のハウジング６０などの部品が乗員室内側から見えることによる意匠性の低下を防ぐ働きをする。
【００５３】
図２に示すように、本実施形態におけるカバーモール７０は、ハウジング６０に係合して取り付けられている。すなわち、図２に示す例では、ハウジング６０は、導光体５１が入れられた溝を形成している下壁が、導光体５１の光出射面５１ｂより突出し、また、この溝の反対側にも延びている。そして、カバーモール７０は、この下壁部の、溝を挟んだ両側の各先端部分の上面に引っ掛かる鉤状の構造部を有している。係合構造は、これに限られることはなく、種々の構造を採用することができる。また、カバーモール７０を接着や溶着等でハウジング６０に接合してもよく、ハウジング６０とカバーモール７０を一体成形してもよい。
【００５４】
カバーモール７０の下面は、乗員室内の意匠性に寄与する意匠面として機能する。このため、カバーモール７０は、その意匠面としての下面が、天井内装材１０の第１の意匠面１６との間に段差や隙間を生じることなく連続した面を形成するように配置するのが好ましい。
【００５５】
一方、カバーモール７０は、天井内装材１０の第２の意匠面１７に対しては、間隙をおいて位置している。導光体５１の光出射面５１ｂは、カバーモール７０と、天井内装材１０の第２の意匠面１７との間にこのように間隙が設けられた側に向けられており、それによって、この間隙を介して乗員室内を照明できるようになっている。カバーモール７０の、意匠面としての下面は、天井内装材１０の第２の意匠面１７に対しては、上記の間隙のために距離をおいて位置しているが、実質的に平行に位置しているのが好ましい。それによって、乗員から見て、第２の意匠面１７とカバーモール７０の下面とが、自然につながっているように見せ、意匠的な連続性を確保することができる。
【００５６】
カバーモール７０は、軟質の樹脂（エラストマー等）を押出成形して形成するのが適している。あるいは、硬質と軟質の樹脂の２色押出成形によって形成し、係合部側を硬質樹脂製とし、意匠面側を軟質樹脂製としてもよい。また、カバーモール７０の意匠面には表皮材を貼着してもよい。
【００５７】
（光源）
光源としては、公知の発光ダイオード（ＬＥＤ５５）を用いることができる。色調としては、アンバー色や白色が好ましいが、その他の色を用いることもできる。発光ダイオードは、比較的軽量でコンパクトなものとすることができるので、間接照明装置５０を小型軽量化でき、好ましい。また、発光ダイオードを用いることによって、導光体５１間に広い間隔を確保しなくてもよいので、導光体５１同士を近接させて配置し、継目部分での照度ムラの影響を低減することができる。
【００５８】
好ましいＬＥＤ５５は、基板５６上にＬＥＤチップとして接合された表面実装型ＬＥＤである。砲弾型ＬＥＤを用いてもよいが、表面実装型のほうが、狭い空間に配置できるため本発明に適する。
【００５９】
ＬＥＤ５５の性能は、光束１５．１〜１８．０ｌｍ、定格電流値１５０ｍＡが適する。本実施形態では、熱の発生を抑えるため、１５０ｍＡのＬＥＤの定格電流値に対して、６０ｍＡの電流を流すようにしている。ＬＥＤ５５としては、特に、日亜化学工業株式会社製ＮＦＳ※０３６（商品名：※は色番であり、Ｗ：白、Ｌ：電球色、Ｂ：青、Ｇ：グリーン）を使用することができる。
【００６０】
図３，４に示すように、ＬＥＤ５５は、給電用のハーネス５８のコネクタ５７などと共に基板５６に搭載され、この基板５６はハウジング６０に取り付けられている。それによって、ＬＥＤ５５は、発光トップ平面が導光体５１の端面５１ａと対面するように位置決めされている。ＬＥＤ５５の発光トップ平面と導光体５１の端面５１ａとの距離は、０．５〜１．５ｍｍとするのが好ましい。この距離を０．５ｍｍ以上とすることによって、ＬＥＤ５５の放出光を適度に導光体５１の端面５１aよりＬＥＤ５５側に漏れさせて、基板５６の配置部位でも、適度な照度を確保することができる。また、この距離を１．５ｍｍ以下とすることによって、導光体５１に効率的に光を入射させて、導光体５１の照度を確保することができる。
【００６１】
図４に示すように、２つの導光体５１の隙間（継目）では、各導光体５１の端面５１ａに対してそれぞれＬＥＤ５５およびそれを支持する基板５６が配置されるので、この際には、基板５６の背面同士が当接しないように考慮する。基板５６の位置は、上記のような導光体５１とＬＥＤ５５の好ましい距離が保たれ、また、基板５６の背面同士が当接しないように、導光体５１およびハウジング６０の線膨張係数を考慮して設定する。
【００６２】
（光拡散板）
上記のように、導光体５１の隙間（継目）では、導光体５１とＬＥＤ５５との位置関係を適切に設定することによって、照度をある程度均等化できるが、厳密には、照度の不均一を避けられない。すなわち、ＬＥＤ５５の近傍では、照度が比較的高くなり、一方、２つのＬＥＤ５５の基板５６の背面同士が向き合っている部位では、照度が比較的低くなる傾向がある。
【００６３】
このように、照度の高い部位と低い部位が隣接して位置していると、照度のムラが目立ちやすくなり、そのような照度のムラが許容できない場合には、図３（ａ）おおび図４に示すように、光拡散板７５を設けることができる。
【００６４】
光拡散板７５は、透明の母材樹脂に、光を散乱させる微小粒子を分散させて構成することができ、隣り合う導光体５１の光出射面５１ｂ間を橋渡し、隣り合う導光体５１の端面５１ａに挟まれた間隙内に配置されたＬＥＤ５５の、第２の意匠面１７側を覆うように配置される。光拡散板７５の取り付けは、図３（ａ）に示すように、ハウジング６０に延長するように形成された係合脚６１を、光拡散板７５の所要箇所に形成した取着用開口に入れて係合することによって行うのが好ましい。あるいは、光拡散板７５をハウジング６０に接着して固定してもよい。
【００６５】
このように光拡散板７５を設けることによって、ＬＥＤ５５から乗員室（第２の意匠面１７）へ漏れ出す光を分散させて、照度を均等化し、照度ムラを低減することができる。この際、光拡散板７５とＬＥＤ５５との距離は、十分に長くなるようにするのが好ましく、それによって、照度の均等化作用を高めることができる。
【００６６】
光拡散板７５の厚さは１．０〜２．０ｍｍ、幅は５．０〜１０．０ｍｍ（導光体５１の高さとほぼ等しい）、長さは１５〜２０ｍｍ（隣り合う導光体５１間の隙間の３〜４倍の長さ）程度とすることができる。光拡散板７５の長さを、隣り合う導光体５１間の隙間よりも大きめにすることによって、導光体５１の位置ズレや、配置位置の公差による、照明照度分布への影響を軽減する作用も得られる。
【００６７】
光拡散板７５の母材樹脂としては、アクリル樹脂等を用いることができ、粒子としては、シリコン樹脂粒子を用いることができる。光拡散板７５は、ＬＥＤ５５からの比較的照度の高い光を十分に分散できるように、透明度の低いものとするのが好ましく、特に、可視光透過率を３％以上７０％未満とするのが好ましい。また、導光体５１として、光を散乱させる粒子を分散させたものを用いる場合、光拡散板７５には、導光体５１よりも高い濃度で粒子を分散させるのが好ましく、それによって、光拡散板７５の部分と導光体５１の部分とで、照度をほぼ整合させることができる。
【００６８】
光拡散板７５としては、特に、三菱レーヨン社の製品、アクリペットＶＨ（乳白色半透明グレードＮＷ４６０）を使用することができる。
【００６９】
以上説明したように、本実施形態の間接照明装置５０付き天井内装材１０では、天井内装材１０に取付溝１５を形成し、この取付溝１５内に間接照明装置５０を配置している。この際、天井内装材１０では、取付溝１５を挟んで両側に位置する第１の意匠面１６と第２の意匠面１７を平行に配置している。それによって、第１の意匠面１６と第２の意匠面１７の間での、すなわち間接照明装置５０を設けた部位の周囲での意匠的な連続性を確保することができ、取付溝１５を長尺なものとしても、好ましい意匠性を確保することができる。また、取付溝１５を、第１の意匠面１６から、乗員室の外側に向かう側辺１５ａと、第１、第２の意匠面１６，１７に平行な底面とを備える三角形の断面形状を有する形状としている。このような取付溝１５を用いることによって、その中に、第２の意匠面１７を照明する間接照明装置５０を容易かつ適切に配置することができる。すなわち、取付溝１５の、第２の意匠面側には側壁がないか、あったとしてもごく小さなものであるので、取付溝１５内の間接照明装置５０によって、取付溝の壁に遮られることなく、第２の意匠面１７を照明することができる。したがって、本実施形態によれば、好ましい意匠性を確保しながら、長尺な間接照明装置５０を設けることが可能であり、それによって、乗員室内の広い範囲を照明することが可能となる。また、取付溝１５は、天井内装材１０の成形時に作り込むことができるので、形成が容易であり、本実施形態の間接照明装置５０は、低コストで提供することが可能である。
【００７０】
なお、以上説明した実施形態は、本発明を例示するものであり、その細部については、本発明の範囲内で種々の変形が可能である。
【００７１】
図５に、このような２つの変形例の間接照明装置付き天井内装材１０の、間接照明装置が設けられた部分の断面図を示す。なお、図５において、上記の実施形態と同様の部分には同一の符号を付している。
【００７２】
これらの変形例では、ハウジング６０は、導光体５１の上面と下面に面する上壁と下壁を、導光体５１側とは反対側（図の右側）に延長したエ字状の断面形状を有している。この場合、ハウジング６０の、導光体５１を保持する溝とは反対側にも溝が形成され、この溝を、給電用のハーネス５８などの収容に利用することができる。
【００７３】
また、図５（ａ）に示す例では、ハウジング６０の上壁の延長部を、ハウジング６０を天井内装材１０に取り付けるクリップ６５との係合に利用している。クリップ６０の取り付け部位には、天井内装材１０の裏面に、補強用の板金６６を用いている。
【００７４】
図５（ｂ）に示す例では、ハウジング６０の下壁の延長部に、カバーモール７０との係合用の係合脚６２が下方に突出するように形成されている。この例では、間接照明装置は、ハウジング６０またはカバーモール７０を天井内装材１０に接着や融着などにより結合させることによって固定することができる。
【００７５】
両変形例とも、カバーモール７０には、硬質樹脂７１と軟質樹脂７２を組み合わせたものを用い、ハウジング６０との係合部分に硬質樹脂７１を適宜用いて強度を高めている。
【００７６】
図６は、他の変形例を示す模式図であり、（ａ）は、間接照明装置付きの天井内装材の、間接照明装置の長手方向に垂直な面に沿った断面図、（ｂ）は、リテーナ８０、カバーモール７０、およびハウジング６０の斜視図である。
【００７７】
この変形例では、カバーモール７０とハウジング６０は、融着や接着によって結合されており、また、図１や図５（ｂ）に示すように係合によって結合されていてもよい。ハウジング６０の上面には、複数の係合脚部６７が形成されている。この係合脚部６７に対応する係合穴８１が形成された樹脂製のリテーナ８０が、天井内装材１０の背面側（上側）に配置されている。この構成では、リテーナ８０とハウジング６０の上面とによって天井内装材１０を挟み込む形で、間接照明装置を安定して取り付けることができる。
【００７８】
リテーナ８０は、例えばホットメルト接着剤によって天井内装材１０に予め接着しておくのが好ましく、それによって、ハウジング６０の取り付けの作業性が向上する。あるいは、リテーナ８０を、天井内装材１０の成形時に天井内装材１０に積層しておき、同時成形して貼着してもよい。さらに、リテーナ８０を天井内装材１０に接着または貼着した後、ウォータジェット加工などの手法で天井内装材１０とリテーナ８０との両方に同時に開口を形成し、係合穴８１を得ることもできる。これらの手法によって、製造工数を低減し、またリテーナ８０の取り付け位置精度、あるいは係合穴８１の形成位置精度を向上させることができる。
【００７９】
また、さらに他の変形として、図示していないが、断面形状が三角形、五角形、楕円形、または円形などの導光体を用いてもよく、また、長さ方向に、断面形状の変化した部分を設けてもよい。このように導光体の断面形状を変化させることによって、照明方向や光の伝播性などを調整することができる。
【図面の簡単な説明】
【００８０】
【図１】本発明の一実施形態の間接照明装置付きの天井内装材を示す斜視図である。
【図２】図１のＡ−Ａ線に沿った、天井内装材とその周囲の構成を示す断面図である。
【図３】図１の間接照明装置の導光体の端面付近の部分を示す斜視図である。
【図４】図１の間接照明装置の、長手方向に沿った断面図である。
【図５】本発明の変形例の間接照明装置付きの天井内装材の、長手方向に垂直な面に沿った断面図である。
【図６】本発明の他の変形例を示す模式図であり、（ａ）は断面図、（ｂ）は、リテーナ、ハウジング、およびカバーモールの斜視図である。
【符号の説明】
【００８１】
１０    天井内装材
１５    取付溝
１６    第１の意匠面
１７    第２の意匠面
２０    ルーフパネル
５０    間接照明装置
５１    導光体
５５    ＬＥＤ
６０    ハウジング
７０    カバーモール
７５    光散乱板
【図１】
2008132807.tif 000003
【図２】
2008132807.tif 000004
【図３】
2008132807.tif 000005
【図４】
2008132807.tif 000006
【図５】
2008132807.tif 000007
【図６】
2008132807.tif 000008